(57)【要約】【課題】地域特化付加情報放送のためのディジタル放送システム及びその放送サービス方法を提供する。【解決手段】本発明は、ディジタル放送システムに関するものであり、特に地域及び時間により特化された付加情報放送を中継機を用いて、特定地域に位置した受信機に実時間に提供するためのシステム及び方法に関するものである。本発明は、各地域別に特化された付加情報放送を別途の地域識別コードを割り当てて放送チャンネルを通じて伝送する放送センタ、放送データを受信して地域識別コードを検査し、該当地域識別コードと判定されれば電波陰影地域に出力を増幅して再送出する中継機、再送出放送データを受信して地域の特化された付加情報放送を表示する受信機を含んで構成されるディジタル放送システムを提供する。【選択図】図４
2005130460.tif 000002
【特許請求の範囲】
【請求項１】
地域特化付加情報放送のためのディジタル放送システムにおいて、
地域識別コードを有する地域特化付加情報放送を、複数の放送チャンネル中少なくとも一つのチャンネルに割り当てて伝送する送信機と、
前記地域特化付加情報放送を受信して前記地域識別コードを検査し、該当地域識別コードで判定されれば、電波陰影地域に該当地域に対する付加情報放送を送出する中継機と、
前記中継機から送出される地域特化付加情報放送を受信する受信機と
を含んで構成されることを特徴とするシステム。
【請求項２】
前記中継機が、
前記地域特化付加情報放送を受信する受信部と、
前記受信された地域特化付加情報放送から地域識別コードを検出し、予め貯蔵された地域識別コードと比較して、前記受信された地域特化付加情報放送が該当地域に対する付加情報放送であるか否かを判断し、送出可否を決定する付加情報判断部と、
前記決定により前記付加情報放送を送出或いは遮断する送出部と
を含むことを特徴とする請求項１に記載のシステム。
【請求項３】
前記地域特化付加情報放送は、地域識別コードにより該当地域のものであると決定されることを特徴とする請求項１に記載のシステム。
【請求項４】
前記送信機は、前記地域特化付加情報放送に前記地域識別コードを添付して中継機に送出することを特徴とする請求項３に記載のシステム。
【請求項５】
前記地域識別コードは、前記地域特化付加情報放送伝送ストリームパケットの特定部分に挿入されることを特徴とする請求項３に記載のシステム。
【請求項６】
前記地域識別コードは、前記放送チャンネル中制御チャンネルの付加情報伝送ストリームパケットの特定部分に挿入されることを特徴とする請求項３に記載のシステム。
【請求項７】
前記地域識別コードは、プログラム指定情報伝送ストリームパケットの特定部分に挿入されることを特徴とする請求項３に記載のシステム。
【請求項８】
前記送信機は、前記地域特化付加情報放送データと一般放送データとを圧縮多重化して同一チャンネルに送出することを特徴とする請求項４に記載のシステム。
【請求項９】
地域特化付加情報放送を複数の放送チャンネル中少なくとも一つのチャンネルに割り当てて伝送する放送センタと、これを受信する中継機とを備えたディジタル放送システムで前記中継機を用いて地域特化付加情報放送サービスを実施する方法において、
前記中継機が、前記複数の放送チャンネル中前記地域特化付加情報放送が受信されているチャンネルを検索する過程と、
前記検索されたチャンネルが該当地域特化付加情報放送を伝送しているか判断する過程と、
該当地域特化付加情報放送である場合、前記地域特化付加情報放送を使用者端末機に送出する過程と
を含んで構成される方法。
【請求項１０】
前記該当地域特化付加情報放送である場合、前記地域特化付加情報放送と共に一般放送を送出することを特徴とする請求項９に記載の方法。
【請求項１１】
前記該当地域特化付加情報放送ではない場合、前記地域特化情報放送を送出せず一般放送のみ送出することを特徴とする請求項９に記載の方法。
【請求項１２】
前記地域特化付加情報放送は、地域識別コードにより該当地域のものであると決定され、前記地域識別コードは、前記地域特化付加情報放送伝送ストリームパケットの特定部分に挿入されることを特徴とする請求項９に記載の方法。
【請求項１３】
前記地域特化付加情報放送は、地域識別コードにより該当地域のものであると決定され、前記地域識別コードは、前記複数の放送チャンネル中制御チャンネルの特定部分に挿入されることを特徴とする請求項９に記載の方法。
【請求項１４】
前記地域特化付加情報放送は、地域識別コードにより該当地域のものであると決定され、前記地域識別コードは、プログラム指定情報伝送ストリームパケットの特定部分に挿入されることを特徴とする請求項９に記載の方法。
【請求項１５】
ディジタル放送システムで、放送センタが地域特化付加情報放送を複数の放送チャンネル中少なくとも一つのチャンネルに割り当てて、時分割多重変調及び符号化して時分割多重信号を転送すれば、中継機がこれを受信して地域特化付加情報放送サービスを実施する方法において、
前記時分割多重信号を受信して時分割多重復調及び復号化し、時分割多重フレーム境界部位を検出する過程と、
前記検出されたフレームを符号分割多重チャンネルデータに分離する過程と、
前記分離されたチャンネルデータの情報を分析して、該当地域特化付加情報放送が前記複数の放送チャンネル中存在するか判断する過程と、
前記該当地域特化付加情報放送が存在すれば、前記該当地域特化付加情報放送データを符号分割多重変調及び符号化して、符号分割多重信号として使用者端末機に送出する過程と
を含むことを特徴とする方法。
【請求項１６】
前記該当地域特化付加情報放送である場合、前記地域特化付加情報放送データと共に一般放送データを符号分割多重変調及び符号化して、符号分割多重信号に送出することを特徴とする請求項１５に記載の方法。
【請求項１７】
前記該当地域特化付加情報放送ではない場合、前記地域特化付加情報放送データを除外した一般放送データのみ符号分割多重変調及び符号化して、符号分割多重信号に送出することを特徴とする請求項１５に記載の方法。
【請求項１８】
前記該当地域特化付加情報放送が前記複数の放送チャンネル中存在するか判断する過程は、前記中継機に予め貯蔵されていた地域識別コードと受信された地域識別コードとを比較して、両者が一致するか否かにより判断することを特徴とする請求項１５乃至請求項１７の中いずれか一つの項に記載の方法。
【請求項１９】
前記地域識別コードは、前記地域特化付加情報放送伝送ストリームパケットの特定部分に挿入されることを特徴とする請求項１８に記載の方法。
【請求項２０】
前記地域識別コードは、前記複数の放送チャンネル中制御チャンネルの付加情報伝送ストリームパケットの特定部分に挿入されることを特徴とする請求項１８に記載の方法。
【請求項２１】
前記地域識別コードは、プログラム指定情報伝送ストリームパケットの特定部分に挿入されることを特徴とする請求項１８に記載の方法。
【請求項２２】
多数の放送チャンネルから地域特化付加情報放送データと地域識別コードを受信する受信部と、
前記地域識別コードを検出し、前記検出された地域識別コードを予め貯蔵された地域識別コードと比較して、前記受信された地域特化付加情報放送データが該当地域に対する付加情報放送データであるか否かを判断し、送出或いは遮断の可否を決定する付加情報判断部と、
前記付加情報放送を送出する送出部と
を含むことを特徴とする中継機。
【発明の詳細な説明】
【技術分野】
【０００１】
本発明は、ディジタル放送システムに関するものであり、特に地域特化付加情報放送を提供するためのディジタル放送システム及び放送サービス方法に関するものである。
【背景技術】
【０００２】
近来に音声（ａｕｄｉｏ）、映像（ｖｉｄｅｏ）等のデータ圧縮技術と通信技術の発達によって、高品質の音声及び映像サービスをいつどこでも提供することができるディジタルマルチメディア放送（Ｄｉｇｉｔａｌ  Ｍｕｌｔｉｍｅｄｉａ  Ｂｒｏａｄｃａｓｔｉｎｇ）（ＤＭＢ）が実現可能になった。ディジタルマルチメディア放送はディジタルオーディオ放送（Ｄｉｇｉｔａｌ  Ａｕｄｉｏ  Ｂｒｏａｄｃａｓｔｉｎｇ）（ＤＡＢ）、ディジタルラジオ放送（Ｄｉｇｉｔａｌ  Ｒａｄｉｏ  Ｂｒｏａｄｃａｓｔｉｎｇ）（ＤＲＢ）又はディジタルオーディオラジオシステム（Ｄｉｇｉｔａｌ  Ａｕｄｉｏ  Ｒａｄｉｏ  Ｓｙｓｔｅｍ）等とも呼ばれるが、本明細書では、ディジタルマルチメディア放送に総称する。移動マルチメディア放送システムでは音楽、文字（ｔｅｘｔ）及び動映像等多様なコンテンツから構成される放送情報の移動受信と固定受信が全て可能である。
【０００３】
図１は、通常的な衛星ディジタルマルチメディア放送システムの構成を示す図面である。
【０００４】
衛星ディジタルマルチメディア放送システムでコンテンツ供給者（Ｃｏｎｔｅｎｔｓ  Ｐｒｏｖｉｄｅｒ）１０ａ或いは放送センタ（ｓａｔｅｌｌｉｔｅ  ｃｏｎｔｒｏｌ  ｓｔａｔｉｏｎ）１０ｂは、地域特化付加情報を含む放送データを圧縮し、多重化してＫｕバンドの１３．８２４〜１８．８４９ＧＨｚの周波数帯域に時分割多重（Ｔｉｍｅ  Ｄｉｖｉｓｉｏｎ  Ｍｕｌｔｉｐｌｅｘｉｎｇ）（ＴＤＭ）方式及び１３．８５８〜１３．８８３ＧＨｚの周波数帯域に符号分割多重（Ｃｏｄｅ  Ｄｉｖｉｓｉｏｎ  Ｍｕｌｔｉｐｌｅｘｉｎｇ）（ＣＤＭ）方式に衛星２０にそれぞれ同時送出する。
【０００５】
ディジタル放送でデータは、伝送ストリームパケット（Ｔｒａｎｓｐｏｒｔ  Ｓｔｒｅａｍ  ｐａｃｋｅｔ）（ＴＳ  パケット）単位に伝送され、所定個数のＴＳパケットが一つのフレームを構成する。ＴＤＭフレームは、２５．５ｍｓｅｃサイズの単位フレームから構成され、一つの単位フレームは、二つのＣＤＭフレーム（１２．７５ｍｓｅｃ）から構成される。放送センタ１０ｂは、３２本の単位フレーム（２５．５ｍｓｅｃ）を時分割多重化して衛星２０に伝送する。衛星２０は、ＴＤＭ/ＣＤＭ放送信号を受信し、周波数変換して地上の中継機（Ｇａｐ  Ｆｉｌｌｅｒ）３０としてはＫｕバンド（１２．２１４〜１２．２３９ＧＨｚ）を通じてＴＤＭ放送信号を送出し、受信機４０としては、Ｓバンド（２．６３０〜２．６５５ＧＨｚ）を通じてＣＤＭ放送信号を送出する。ここで、受信機４０は、使用者端末機を意味し、例えば、ディジタルマルチメディア放送受信携帯ホンのような移動端末機、宅内固定端末機、或いは車両搭載用端末機等色々なものある。
【０００６】
地上の中継機３０は、衛星２０から受信されるＴＤＭ放送信号を復調する。又、中継機３０は、復調されたＴＤＭ放送信号からフレーム境界部分を探して２５．５ｍｓｅｃに該当する制御チャンネル（Ｐｉｌｏｔ  ｃｈａｎｎｅｌ）データと共用チャンネルデータ及び各放送チャンネルデータを分離する。
【０００７】
分離された制御チャンネルデータと共用チャンネルデータ及び各放送チャンネルデータは、変調過程を経て、ＣＤＭ放送信号に変換された後受信機４０に送出される。受信機４０は、衛星２０或いは中継機３０から送出されるＣＤＭ放送信号を復調して、加入者に放送情報を出力する。中継機３０は、受信環境が劣悪な地域の受信特性を向上させるために、衛星２０から伝送される信号を増幅して再伝送する装置である。
【０００８】
一方、放送情報は、地理的に見る時広範囲の地域にかけて分散されている多くの受信機に伝送される。ところで、ディジタルマルチメディア放送システムでは、特定地域に対する地域情報を特定受信機にのみ伝送することが望ましい場合がある。例えば、地域ニュースや天気、交通情報或いは特定地域にのみ該当される広告等のような情報は、特定地域にある受信機｛実際には、受信機を携帯した加入者（使用者）を意味する｝には有用な情報となることができるものの、他の地域にある受信機には、不要な情報になる。だから、該当地域特化付加情報放送を必要とする受信機にのみ伝送されることができるようにする地域情報サービスが要求される。
【０００９】
地域特化付加情報放送を提供する従来のディジタル放送システムでは、放送センタでそれぞれの該当地域特化付加情報放送に別途の地域識別コードを割り当てて送出する。受信機は、加入者により選択された地域識別コードを根拠に、該当地域特化付加情報放送を検出して表示する。従って、加入者が現在位置の地域特化付加情報放送を視聴するためには、別途の選択過程が必要である。しかし、加入者が移動中にディジタル放送を受信する場合には、時々刻々変わる位置に対応する地域特化付加情報放送を選択することが容易ではない。
【００１０】
前述した問題点を解決するために、複数の地域特化付加情報放送中で受信機の位置に該当する地域特化付加情報放送が自動に選択されるようにする方法が提示されている。しかし、受信機の現在位置を把握するための別途の装置を装着しなければならないため、受信機のサイズが大きくなる問題点がある。又、受信機で位置による地域特化付加情報放送を選択するための演算を遂行しなければならないため、受信機の演算量が増加し、電力消耗が多くなる問題点が発生する。
【発明の開示】
【発明が解決しようとする課題】
【００１１】
本発明の技術的課題は、各地域特化付加情報放送を自動に設定し、それによる受信機の負担は最小化することができる地域特化付加情報放送のためのディジタルマルチメディア放送システム及びその付加サービス方法を提供するところにある。
【００１２】
本発明の他の技術的課題は、地域特化付加情報放送を該当地域に位置した受信機のみ伝送することができるディジタルマルチメディア放送システム及びその付加サービス方法を提供するところにある。
【課題を解決するための手段】
【００１３】
前述した技術的課題を達成するために、本発明は、地域特化付加情報放送データを地域識別コードと共に、特定チャンネル或いは既存放送チャンネルに一般放送データと共に多重化させて伝送する送信機と、受信された放送信号から地域識別コードを検出して、該当地域特化付加情報放送信号であるか判断し、該当地域特化付加情報放送信号である時、一般放送信号と共に再び電力を増幅して送出する中継機と、中継機から送出される地域特化付加情報放送を受信して表示する受信機とを含んで構成されるディジタル放送システムを提供する。
【発明の効果】
【００１４】
前述したように、本発明は、衛星ディジタルマルチメディア放送で中継機を用いて地域特化付加情報放送を提供することができ、端末機のサイズと演算量、電力消耗を減らすことができる効果がある。又、移動中の加入者が別途の操作を行わなくても、加入者に該当地域特化付加情報放送が提供されるようにすることにより加入者の便宜性が増大される効果がある。
【発明を実施するための最良の形態】
【００１５】
以下、本発明の望ましい実施形態が添付された図面を参照して説明する。図面中同一な構成要素に対しては、たとえ他の図面上に表示されてもできるだけ同一な参照番号及び符号に示していることに留意しなければならない。下記で本発明を説明するにあたって、関連された公知機能又は構成に対する具体的な説明は、本発明の要旨を不明確にすると判断される場合には、省略する。
【００１６】
本明細書では、衛星ディジタルマルチメディア放送システムの地域特化付加情報放送が特定ＣＤＭチャンネルに割り当てられて伝送される場合を仮定し説明される。しかし、地域特化付加情報放送が伝送されるチャンネルは、放送規格により変更されることができる。即ち、本発明による地域特化付加情報放送は、不特定のＣＤＭチャンネルで伝送されるか、制御チャンネルのチャンネル構成情報に応じて時々刻々多くの放送チャンネルで変更されて伝送される等他の方法に変形される場合にも適用されることができることを留意しなければならない。又本明細書で‘ＣＤＭ  ＃ｎ’は、ＣＤＭチャンネルの番号を意味し、ワルシュ（Ｗａｌｓｈ）コードを使用して区分される。‘ＣＤＭ  ＃ｎ’は、ＭＰＥＧ（Ｍｏｖｉｎｇ  Ｐｉｃｔｕｒｅ  Ｅｘｐｅｒｔ  Ｇｒｏｕｐ）２−ＴＳ規格でのプログラム番号のような意味である。ここで、‘プログラム’は、アナログ放送の一つのチャンネルに該当する概念に同一な時間基準値を共有する基礎ストリーム（Ｅｌｅｍｅｎｔａｒｙ  Ｓｔｒｅａｍ）（ＥＳ）の集合を意味する。
【００１７】
図２は、本発明の望ましい実施形態による、衛星ディジタルマルチメディア放送のためのチャンネルの伝送ストリーム構造を示した図面である。
【００１８】
伝送ストリームは、複数の伝送ストリームパケット（ＴＳ  ｐａｃｋｅｔ）から構成される。各ビデオ、オーディオ、文字情報伝送ストリームパケットは、１８８バイト（ｂｙｔｅ）の固定長データであり、その長さは、非同期伝送モード（Ａｓｙｎｃｈｒｏｎｏｕｓ  Ｔｒａｎｓｆｅｒ  Ｍｏｄｅ）（ＡＴＭ）セル長との整合性及びリードソロモン符号等の誤謬訂正コード（Ｅｒｒｏｒ  Ｃｏｒｒｅｃｔｉｏｎ  Ｃｏｄｅ）（ＥＣＣ）化を行う場合の適用性を考慮して決定された。伝送ストリームパケットは、４バイト固定長のヘッダ（ｈｅａｄｅｒ）と可変長のアダプテーションフィールド（ａｄａｐｔａｔｉｏｎ  ｆｉｅｌｄ）及びペイロード（ｐａｙｌｏａｄ）から構成される。ヘッダには、全体ストリームを構成するプログラム情報、プログラムの時間情報及び全体システムを制御するための制御情報等が含まれ、特にパケット識別者（Ｐａｃｋｅｔ  Ｉｄｅｎｔｉｆｉｃａｔｉｏｎ）（ＰＩＤ）が定義されている。ＰＩＤにより伝送ストリームパケットの種類が識別される。アダプテーションフィールドとペイロードは、いずれか一つのみ存在する場合と両側全てが存在する場合があり、その有無は、ヘッダ内のフラグ（ａｄａｐｔａｔｉｏｎ＿ｆｉｅｌｄ＿ｃｏｎｔｒｏｌ）（Ａｄ＿Ｆｌａｇ）により示される。特に本発明の一実施形態と関連してＡｄ＿Ｆｌａｇは、アダプテーションフィールドの所定領域に地域識別コードを含むことを表示することができる。
【００１９】
図３Ａは、本発明の望ましい実施形態による衛星ディジタルマルチメディア放送チャンネルを通じて伝送されるデータの第１構成を示す図面である。
【００２０】
制御チャンネルは、ＣＤＭチャンネル構成情報及び同期情報等を適当な頻度に伝送する。一般に衛星ディジタルマルチメディア放送システムでは、ＣＤＭ  ＃０チャンネルが制御チャンネルで割り当てられる。
【００２１】
ＣＤＭ  ＃１チャンネルは、プログラム指定情報（Ｐｒｏｇｒａｍ  Ｓｐｅｃｉｆｉｃ  Ｉｎｆｏｒｍａｔｉｏｎ）（ＰＳＩ）のような共通情報又は放送チャンネル情報を伝送するチャンネルである。ＰＳＩは、プログラム連合テーブル（Ｐｒｏｇｒａｍ  Ａｓｓｏｃｉａｔｉｏｎ  Ｔａｂｌｅ）（ＰＡＴ）、プログラムマップテーブル（Ｐｒｏｇｒａｍ  Ｍａｐ  Ｔａｂｌｅ）（ＰＭＴ）、限定受信テーブル（Ｃｏｎｄｉｔｉｏｎａｌ  Ａｃｃｅｓｓ  Ｔａｂｌｅ）（ＣＡＴ）とネットワーク情報テーブル（Ｎｅｔｗｏｒｋ  Ｉｎｆｏｒｍａｔｉｏｎ  Ｔａｂｌｅ）（ＮＩＴ）等４種類のテーブルから構成される。本明細書では、ＰＳＩ中ＰＭＴを除外した残りのテーブルがＣＤＭ  ＃１で伝送される場合を仮定し説明される。
【００２２】
その外のＣＤＭチャンネル（ＣＤＭ  ＃２〜）は、放送データを伝送するためのチャンネルである。図３Ａは、ＣＤＭ  ＃３とＣＤＭ  ＃４チャンネルのオーディオ、文字、ビデオ情報が共に第３放送チャンネルＣＨ３のプログラムを構成して加入者にサービスされる場合を示している。一方、地域特化付加情報放送データもＣＤＭチャンネルを通じて伝送され、本実施形態では、ＣＤＭ  ＃５チャンネルを通じて地域特化付加情報放送データが伝送される場合を仮定し説明される。
【００２３】
図３Ｂは、本発明の望ましい実施形態による衛星ディジタルマルチメディア放送チャンネルを通じて伝送されるデータの第２構成を示す図面である。
【００２４】
本実施形態では、地域識別コードがプログラム番号及びＰＩＤ等と共に制御チャンネルの追加情報伝達領域（ｒｅｓｅｒｖｅｄ  ｐａｒｔ）に含まれる。本発明で中継機は、制御チャンネルで伝送されるチャンネル構成情報と地域識別コード、プログラム番号、ＰＩＤ等を参照して地域特化付加情報が転送されるＣＤＭ  ＃５チャンネルの放送データを識別して、該当地域特化付加情報であるか判断することができる。
【００２５】
前述したように、地域識別コードを伝送する方法を具体的な例を挙げて説明したが、放送プログラム製作者の考慮により色々に変形することができることに留意しなければならない。例えば、ＰＡＴ又は、ＰＭＴ等に地域識別コードを追加することもできる。
【００２６】
図４は、本発明の望ましい実施形態による地域特化付加情報放送を受信して、使用者端末機に送出する衛星ディジタルメディア放送中継機の構成を示すブロック図である。
【００２７】
Ｋｕバンド受信アンテナ４０１がＴＤＭ信号を受信すれば、低雑音増幅（Ｌｏｗ  Ｎｏｉｓｅ  Ａｍｐｌｉｆｉｅｒ）部４０３、ＱＰＳＫ（Ｑｕａｄｒａｔｕｒｅ  Ｐｈａｓｅ  Ｓｈｉｆｔ  Ｋｅｙｉｎｇ）復調部４０５を経てＴＤＭ順方向エラー訂正（Ｆｏｒｗａｒｄ  Ｅｒｒｏｒ  Ｃｏｒｒｅｃｔｉｏｎ）（ＦＥＣ）部４０７で、ＴＤＭ信号に対して雑音や干渉により伝送中に発生したエラーを訂正復号する。ＴＤＭ逆多重化部４０９は、復号されたＴＤＭ放送信号からフレーム境界部分を探して制御チャンネルデータと共用チャンネルデータ及び各放送チャンネルデータを分離し、その分離されたチャンネルデータを各ＣＤＭチャンネル別に別途に準備されたバッファ（図示せず）に貯蔵する。この際、ＴＤＭで時間軸に対して順次的であったデータが、各ＣＤＭチャンネル別バッファに並列に位置（Ｓｅｒｉａｌ  ｔｏ  Ｐａｒａｌｌｅｌ）され、各該当フレームが集まると、ＣＤＭ順方向エラー訂正部４１１に出力される。以後ＣＤＭ順方向エラー訂正部４１１は、雑音や干渉により伝送中に発生したエラーを訂正復号する。付加情報判断部４１３は、それぞれの個別中継機に既割り当てられた地域識別コードを参照して、伝送する該当地域情報があるか判断する。
【００２８】
前述したように、図３Ａの実施形態を参照して説明すれば、付加情報判断部４１３は、制御チャンネルのＣＤＭチャンネル構成情報等を参照して、ＣＤＭ  ＃５チャンネルが地域特化付加情報放送チャンネルということを認知する。以後地域特化付加情報放送データヘッダの地域識別コードを検査し、判断結果該当地域特化付加情報放送データではなければ、該当データを削除処理して出力せず、該当地域情報である場合、他の放送チャンネルデータ、共用チャンネルデータ、制御チャンネルデータ等と共にＣＤＭ拡散変調器１５に出力する。
【００２９】
一方、図３Ｂの実施形態によると、付加情報判断部４１３は、制御チャンネルのＣＤＭチャンネル構成情報及び追加情報伝達領域に挿入された地域識別コード等を検査して、地域特化付加情報放送が伝送されているＣＤＭ  ＃５チャンネルデータが該当地域特化付加情報放送データであるか否かを判断する。前述した判断結果、該当地域情報ではなければ、同様にそのデータを削除処理して出力せず、該当地域特化付加情報放送データである場合、他の放送チャンネルデータ及び制御チャンネルデータ等と共にＣＤＭ拡散変調器４１５に出力する。
【００３０】
一方、図面に表示されないが、前述したようにＰＡＴやＰＭＴ等に地域識別コードが付加された場合、同様に付加情報判断部４１３は制御チャンネルで伝送されるＣＤＭチャンネル構成情報、共通チャンネルで伝送されるプログラム指定情報等を参照して、地域特化付加情報放送が伝送されるＣＤＭチャンネルを探し出し、ＰＡＴ又はＰＭＴを検査して該当地域特化付加放送である場合、該当地域特化付加情報放送データを、他の放送チャンネルデータ、共用チャンネルデータ、制御チャンネルデータ等と共に、ＣＤＭ拡散変調器で出力されるように構成することもできる。
【００３１】
以後、識別された該当地域特化付加情報放送データと他の放送チャンネルデータ、制御チャンネルデータ等が、ＣＤＭ拡散変調器で入力されて相異なる拡散コードにより拡散変調される。拡散コードは、各チャンネル毎に割り当てられているコードであり、ワルシュコードが使用される。拡散変調されたデータは、１系統の符号分割多重放送信号に合算され、符号分割多重放送信号をＱＰＳＫ又はＱＡＭ（Ｑｕａｄｒａｔｕｒｅ  Ａｍｐｌｉｔｕｄｅ  Ｍｏｄｕｌａｔｉｏｎ）方式等のディジタル変調方式により変調する。出力増幅器４１７は、変調された放送信号を無線送信のための周波数に変換及び送信電力レベルに増幅した後、電力分配器４１９を経てアンテナ４２１を通じて送信する。
【００３２】
図５は、本発明の望ましい実施形態による衛星ディジタルマルチメディア放送受信機の構成を示すブロック図である。
【００３３】
受信部５０１は、伝送されるディジタルマルチメディア放送信号を受信し、低雑音増幅した後中間周波信号に周波数変換する。復調器５０３は、周波数変換された放送信号を復調し、加入者により選択されたチャンネルに対応する拡散コードによりスペクトラム逆拡散する。順方向エラー訂正部５０５は、雑音や干渉により伝送中に発生したエラーを訂正復号する。逆多重化器５０７は、制御部からＰＩＤを提供され，ＰＩＤを用いて復号された伝送ストリームデータから所望の伝送ストリームデータを抽出し、音声、映像及び文字データを分離する。特に、本発明と関連して逆多重化器５０７と制御部５１９は、受信された地域特化付加情報放送データに対して別途の判断や加工を行わず、加入者の選択により地域特化付加情報放送を視聴しようとする時指定されたＣＤＭ  ＃５チャンネルのデータを出力処理する。従って、加入者の受信機は“中継機から増幅されて送出された放送信号”を検査して“地域特化付加情報放送が伝送されるＣＤＭ  ＃５チャンネル”のデータが他の地域のデータであるか常に判断する必要がない。又、位置している地域の識別情報を別途に取得する必要がなく、加入者が該当地域識別コード入力を別途に行う必要がない。逆多重化器５０７で分離された音声、映像及び文字データは、それぞれ音声デコーダ５１３、映像デコーダ５０９及び文字デコーダ５１１に入力される。音声デコーダ５１３は、圧縮された音声データを復号し、示されないディジタル/アナログ変換機｛Ｄ/Ａ（Ｄｉｇｉｔａｌ/Ａｎａｌｏｇ）Ｃｏｎｖｅｒｔｅｒ｝によりアナログ信号に変換した後、スピーカを通じて出力する。映像デコーダ５０９は、圧縮された映像データを復号し、復号された映像データは、示されない映像処理器を通じて表示部５１５に適していた形式で変換された後、表示部５１５を通じて出力される。文字デコーダ５１１は、圧縮された文字データを復号する。復号された文字データは、映像データと共に表示部５１５を通じて出力される。
【００３４】
図６は、本発明の望ましい実施形態による衛星ディジタルマルチメディア放送中継機が放送センタから受信した地域特化付加情報放送を、使用者端末機に送出する方法を示した流れ図である。
【００３５】
図１、図３Ａ及び図６を参照して、中継機３０が放送センタ１０から受信した地域特化付加情報放送を使用者端末機４０に送出する方法中、一つを敷衍説明すれば次の通りである。
【００３６】
放送センタ１０が複数の放送チャンネル中少なくとも一つのチャンネルに地域特化付加情報放送を割り当てて伝送すれば、図６の段階６１２に示されたように、中継機３０は複数の放送チャンネル中地域特化付加情報放送が受信されているチャンネルを検索する。図３Ａに例示したことによると、検索されるチャンネルはＣＤＭ  ＃５である。中継機３０は段階６１４で検索したチャンネルＣＤＭ  ＃５の伝送ストリームデータから地域識別コードを検出する。そして、検出した地域識別コードを予め貯蔵されていた地域識別コードと比較し、段階６１４でその一致可否を確認することにより該当地域の特化付加情報放送が伝送されているか確認する。前述した確認結果、該当地域特化付加情報放送なら、段階６１８で一般放送と共に地域特化付加情報放送を使用者端末機４０に送出する。反面、該当地域特化付加情報放送ではない場合には、段階６２０で進行して一般放送のみ送出する。
【００３７】
一方、本発明の詳細な説明では、具体的な実施形態に関して説明したが、本発明の範囲から外れない限度内で色々の変形が可能なことは勿論である。例えば、それぞれの地域による特化された付加放送を、別途の地域識別コードを割り当てて伝送チャンネルを通じて送出する放送センタ、送出された放送信号を受信して地域識別コードを検査し、該当地域識別コードで判定されれば電波陰影地域に出力を増幅して送出する中継機、送出放送信号を受信して地域の特化された付加情報放送を表示する受信機を含むディジタル放送システムに対しては、どのようなな伝送方式を採択するかに関係なく適用可能である。従って、本発明の範囲は、説明された実施形態に局限されて決められるべきではなく、後述する特許請求の範囲だけではなく、この特許請求の範囲と均等なことにより決められなければならない。
【図面の簡単な説明】
【００３８】
【図１】通常的な衛星ディジタルマルチメディア放送システムの構成を示す図面である。
【図２】本発明の望ましい実施形態による衛星ディジタルマルチメディア放送のためのチャンネルの伝送ストリーム構造を示した図面である。
【図３Ａ】本発明の望ましい実施形態による衛星ディジタルマルチメディア放送チャンネルを通じて伝送されるデータの第１構成を示す図面である。
【図３Ｂ】本発明の望ましい実施形態による衛星ディジタルマルチメディア放送チャンネルを通じて伝送されるデータの第２構成を示す図面である。
【図４】本発明の望ましい実施形態による地域特化付加情報放送を使用者端末機に送出する衛星ディジタルマルチメディア放送中継機の構成を示す図面である。
【図５】本発明の望ましい実施形態による   衛星ディジタルマルチメディア放送受信機の構成を示す図面である。
【図６】本発明の望ましい実施形態による       衛星ディジタルマルチメディア放送中継機が放送センタから受信した地域特化付加情報放送を使用者端末機に送出する方法を示した流れ図である。
【符号の説明】
【００３９】
４０１…Ｋｕバンド受信アンテナ
４０３…低雑音増幅部
４０５…復調部
４０７…ＴＤＭ順方向エラー訂正
４０９…ＴＤＭ逆多重化部
４１１…ＣＤＭ順方向エラー訂正部
４１３…付加情報判断部
４１５…ＣＤＭ拡散変調器
４１７…出力増幅器
４１９…電力分配器
４２１…アンテナ
【図１】
2005130460.tif 000003
【図２】
2005130460.tif 000004
【図３Ａ】
2005130460.tif 000005
【図３Ｂ】
2005130460.tif 000006
【図４】
2005130460.tif 000007
【図５】
2005130460.tif 000008
【図６】
2005130460.tif 000009